(57)【特許請求の範囲】
【請求項１】
車両内に面して設けられるシフトレバーのシフト操作に伴って前記シフトレバーが移動する開口を有した上側案内部と、
前記上側案内部の下部に取り付けられる下側案内部と、
前記上側案内部と、前記下側案内部との間に配置されてシフトレバーが通し孔に挿通され前記シフトレバーのシフト操作と共に移動して前記下側案内部上を摺動するスライドカバーと、
前記スライドカバーの両側部の複数箇所から部分的に上方に突出するよう立設され、その上端部に前記上側案内部の内摺接面に摺接して摺動動作を案内するスライド板面が一体に形成され、前記スライドカバーと前記上側案内部の前記内摺接面との間に所定間隔を設ける高さに形成されたガイド部と、
前記上側案内部の前記シフトレバーが移動する前記開口の周囲から下方に向けて前記ガイド部の高さより短い長さ延出し、その縁部下端と前記スライドカバーとの間に隙間を設けるよう形成された口縁部と、
を有することを特徴とするシフトレバー用ハウジング。
【請求項２】
車両内に面して設けられるシフトレバーのシフト操作に伴って前記シフトレバーが移動する開口を有した上側案内部と、
前記上側案内部の下部に取り付けられる下側案内部と、
前記上側案内部と、前記下側案内部との間に配置されてシフトレバーが通し孔に挿通され前記シフトレバーのシフト操作と共に移動して前記下側案内部上を摺動するスライドカバーと、
前記スライドカバーの両側部の複数箇所から部分的に立設され、前記上側案内部に摺接して摺動動作を案内し、前記スライドカバーと前記上側案内部の開口の縁部下端との間に隙間を設けるガイド部と、
前記下側案内部における前記開口部の下方位置に沿って設けられ、前記スライドカバーの下面部の両側より内側へ入った部分を摺接支持し前記ガイド部を前記上側案内部に当接させるよう設けられたガイドリブと、
前記ガイドリブの下端から、前記ロアハウジングの外周部側へかけて下向する斜面に形成された斜底面と、
前記斜底面の下方位置に設けられ、液体を機構内部外に排出するための排出口と、
を有することを特徴とするシフトレバー用ハウジング。
【請求項３】
前記上側案内部の内面部における前記開口部と平行な各所定位置からそれぞれ下方に向けて突片状に突設された各案内突条に、それぞれ前記各ガイド部に一体に形成されたスライド板面を摺接させて、前記スライドカバーの摺動動作を案内するよう構成したことを特徴とする請求項１又は請求項２に記載のシフトレバー用ハウジング。
【発明の詳細な説明】
【０００１】
【発明の属する技術分野】
本発明は、車両における変速機のシフト操作に用いられるシフトレバー装置におけるシフトレバー用ハウジングに関する。
【０００２】
【従来の技術】
車両の自動変速機をシフト操作するためのシフトレバー装置には、図４に例示するような車両の床上に配置され、シフトレバー１０を車両前後方向にシフト操作してシフト位置を選択するように構成されているものがある。
【０００３】
このようなシフトレバー装置では、シフトレバー１０の基部がシフトレバー用ハウジング１２でカバーされているのが普通である。従来のシフトレバー用ハウジング１２は、シフトレバー１０のシフト動作範囲に渡って開口した長溝状の開口部１４に摺動自在にスライドカバー１６を装着し、このスライドカバー１６の貫通孔にシフトレバー１０の軸部を挿通するように構成されている。そして、シフトレバー１０をシフト操作する際、スライドカバー１６も共に摺動し、常にハウジング１２の開口部を塞いで、内部機器が外部から見えにくくしている。
【０００４】
【発明が解決しようとする課題】
このようなシフトレバー装置はインストールメントパネル１８の中央下部に位置するため、この付近は缶ジュース等の置き場所として好都合であり、この上方には引出し式の飲料水受皿１９が有る場合も有るので、シフトレバー用ハウジング１２の上に飲料水等が零れることがある。このようなとき、零れた飲料水はシフトレバー用ハウジング１２の開口部１４に一段下がって配置されたスライドカバー１６上の凹部内に溜まり易く、掃除等の処置をするのに手間がかかる。
【０００５】
本発明は上記事実を考慮し、シフトレバー用ハウジングに飲料水等の液体が零れ落ちても不都合が生じないように対処可能に構成したシフトレバー装置を新たに提供することが目的である。
【０００６】
【課題を解決するための手段】
本発明の請求項１記載のシフトレバー用ハウジングは、車両内に面して設けられるシフトレバーのシフト操作に伴ってシフトレバーが移動する開口を有した上側案内部と、上側案内部の下部に取り付けられる下側案内部と、上側案内部と、下側案内部との間に配置されてシフトレバーが通し孔に挿通されシフトレバーのシフト操作と共に移動して下側案内部上を摺動するスライドカバーと、スライドカバーの両側部の複数箇所から部分的に上方に突出するよう立設され、その上端部に上側案内部の内摺接面に摺接して摺動動作を案内するスライド板面が一体に形成され、スライドカバーと上側案内部の内摺接面との間に所定間隔を設ける高さに形成されたガイド部と、上側案内部のシフトレバーが移動する開口の周囲から下方に向けてガイド部の高さより短い長さ延出し、その縁部下端とスライドカバーとの間に隙間を設けるよう形成された口縁部と、を有することを特徴とする。
【０００７】
上述のように構成することにより、シフトレバー用ハウジングのスライドカバー上に液体が零れても、この液体は、スライドカバー表面と上側案内部の開口部の周囲から延出した口縁部とスライドカバーとの間の隙間を通って、スライドカバーの側部から下側案内部上に落ち、これを伝わって下方に流れ排出される。よって、液体がスライドカバー上に溜まることがに無い。さらに、液体がスライドカバー表面より上方へ離間した上側案内部の内摺接面とガイド部のスライド板面との摺接面部分に入り込んでこれらの間の摺動動作を阻害するようなこともない。また、スライドカバーの表面と内縁部との間に間隔を開けるよう引き離しているので、これらの間が摺接することはないからこの部分に水等がついてもスライドカバーの移動が妨げられないようにできる。よって、スライドカバー上に液体が零れたときの処置を簡便にできるとともに、良好な操作フィーリングを維持できる。
【０００８】
本発明の請求項２記載のシフトレバー用ハウジングは、車両内に面して設けられるシフトレバーのシフト操作に伴ってシフトレバーが移動する開口を有した上側案内部と、上側案内部の下部に取り付けられる下側案内部と、上側案内部と、下側案内部との間に配置されてシフトレバーが通し孔に挿通されシフトレバーのシフト操作と共に移動して下側案内部上を摺動するスライドカバーと、スライドカバーの両側部の複数箇所から部分的に立設され、上側案内部に摺接して摺動動作を案内し、スライドカバーと上側案内部の開口の縁部下端との間に隙間を設けるガイド部と、下側案内部における開口部の下方位置に沿って設けられ、スライドカバーの下面部の両側より内側へ入った部分を摺接支持しガイド部を上側案内部に当接させるよう設けられたガイドリブと、ガイドリブの下端から、ロアハウジングの外周部側へかけて下向する斜面に形成された斜底面と、斜底面の下方位置に設けられ、液体を機構内部外に排出するための排出口と、を有することを特徴とする。
【０００９】
上述のように構成することにより、シフトレバー用ハウジングのスライドカバー上に液体が零れても、この液体は、スライドカバー表面と上側案内部の開口部の開口の縁部との間を通って、スライドカバーの側部から下側案内部の斜底面上に落ち、これを伝わって下方に流れ排出口から排出される。よって、液体がスライドカバー上に溜まることもなく、さらに液体がガイド部と内摺接面との間、又はスライドカバーの下面部とガイドリブとの間に入り込んでこれらの間の摺動動作を阻害するようなこともないので、スライドカバー上に液体が零れたときの処置を簡便にできるとともに、良好な操作フィーリングを維持できる。
請求項３に記載の発明は、請求項１又は請求項２に記載のシフトレバー用ハウジングにおいて、上側案内部の内面部における開口部と平行な各所定位置からそれぞれ下方に向けて突片状に突設された各案内突条に、それぞれ各ガイド部に一体に形成されたスライド板面を摺接させて、スライドカバーの摺動動作を案内するよう構成したことを特徴とする。
上述のように構成することにより、請求項１又は請求項２に記載の発明の作用、効果に加えて、上側案内部の内面部から下方に向けて突設された各案内突条とガイド部のスライド板面との摺接面部分においても、液体がスライドカバー表面より上方へ離間したこれらの摺接面部分に入り込んでこれらの間の摺動動作を阻害するようなことがないので、スライドカバー上に液体が零れたときの処置を簡便にできるとともに、良好な操作フィーリングを維持できる。
【００１０】
【発明の実施の形態】
本発明の実施の形態に係るシフトレバー用ハウジングは、図１〜図３に示すように構成されており、上側案内部であるアッパハウジング２０と、下側案内部であるロアハウジング２２との間にスライドカバー２４を摺動自在に装着して構成されている。
【００１１】
このスライドカバー２４は、フレキシブルな合成樹脂製で矩形薄板状に形成されている。また図２に示すように、スライドカバー２４の長さ方向中央部には、長円形状の透孔である通し孔２６が穿設され、この通し孔２６に、シフトレバー軸部２８が挿通されている。さらに、スライドカバー２４における通し孔２６の図２に向かって右側（矢印ＲＨ側）から、シフトレンジ表示用の指針部３０が一体的に突設されている。
【００１２】
この指針部３０は、スライドカバー２４の右側辺部の図２で下面から下方に突出し、これより図に向かって右側横方向に直角に折曲して延出し、さらに図に向かって上方へ、スライドカバー２４の図の上面より所要高さ高い位置まで延出し、その上端部から図に向かって右横方向へ少し傾斜して、小矩形板状の指針板３２を延出するよう一体に折曲形成されている。また、指針板３２の図２で上側表面には、赤マーク表示用の赤色等の着色塗料が塗布されている。
【００１３】
また、スライドカバー２４における左右方向（矢印ＬＦ、ＲＨ方向）の量側辺部の複数の所定位置には、それぞれガイド部３４が突設されている。この各ガイド部３４は、スライドカバー２４の側辺部の図２で上面から上方に突出し、その上端部から、矩形小板状のスライド板面３６がスライドカバー２４の外側方向へ向け、このスライドカバー上面と平行に延出するよう一体に形成されている。
【００１４】
このスライドカバー２４は、その両側部の複数位置に、指針部３０とガイド部３４とを部分的に配置しただけで、これら以外の大部分の部位は平板状であり、屈曲して形成した溝形状等を有さないので、スライドカバー２４の上下面方向へ容易にたわみ得る（矢印ＦＸ方向）。よって、図３に示す如く、シフトレバー装置のハウジング２０、２２の両端部からスライドカバー２４が延出する部位で容易に屈曲し、スライドカバー２４の両自由端部をロアハウジング２２の下方に向けて延出させ、スライドカバー２４の両自由端部がシフトレバー装置に隣接して設置される他の機器に当ることがないようにし、このシフトレバー装置を狭い場所に設置可能とする。
【００１５】
上述のように形成したスライドカバー２４を摺動自在に支持するアッパハウジング２０とロアハウジング２２は、図１に示す如く形成されている。すなわち、このアッパハウジング２０は、全体が底面板のない矩形箱状に形成され、図１に示すように車両横方向に沿った断面形状が逆Ｕ字状の上面板部３８には、このアッパハウジング２０の長さ方向（図１の紙面に垂直な方向であって図２の矢印ＦＲ、ＲＥ方向）に向けて、シフトレバー軸部２８をシフト動作可能に収める長開口部４０が形成されている。このために、シフトレバー軸部２８は図示しない下端部が車両横方向水平軸回りに旋回可能に軸支されている。
【００１６】
この長開口部４０の周囲は、上面板部３８から下方に向けて、全周に渡り一定長さ延出するよう口縁部４２が一体に折曲形成されている。この口縁部４２の、アッパハウジング２０の図１で下面に当たる内摺接面４４からの高さＨ１は、ガイド部３４の高さＨ２より０．５ｍｍ〜１ｍｍ程度短く形成されている。
【００１７】
この内摺接面４４は、スライド板面３６を摺接案内させるためのもので、アッパハウジング２０の内面部における内縁部４２の長さ方向（矢印ＦＲ方向）両側に沿った隣接位置に形成されている。
【００１８】
さらに、アッパハウジング２０の内面部所定位置には、摺動するスライド板面３６に摺接して、スライドカバー２４の摺動動作を案内する長開口部４０と平行な突片状の案内突条４６、４８が、この内面から直角下方に向けて一体的に突接されている。
【００１９】
この図１に向って左側に位置する案内突条４６は、スライド板面３６の厚さより少し長く形成され、スライド板面３６に摺接して案内する。また、図１に向って右側に位置する案内突条４８は長く形成され、スライドカバー２４の側部、ガイド部３４、及び指針部３０の支持端部が、アッパハウジング２０の後述する窓部５０から見えないように隠す。さらに、案内突条４８は、その自由端と、図１に示すようにアッパハウジング２０の内面に配置されたスライドカバー２４の指針部３０との隙間が１ｍｍ程度となる長さに形成されている。
【００２０】
従って、ガイド部３４が、スライドカバー２４を内縁部４２から所定間隔を開けるよう引き離しているので、これらの間が摺接することはないからこの部分に水等がついてもスライドカバー２４の移動が妨げられないようにできる。
【００２１】
アッパハウジング２０には、その一方の案内突条４８に沿った隣接位置に、長開口部４０に対応した長さに渡って矩形に開口し、この開口に透明プラスチック板を取り付けて構成したシフトレンジ表示用窓部５０が形成されている。この窓部５０には、シフトレバー軸部２８のシフトレンジセレクト位置に対応したＰ，Ｒ，Ｎ，Ｄ，２，１等の文字が表示されている。そして、図１に示すようにこの窓部５０の下部に臨む指針部３０の指針板３２がシフトレバー軸部２８の動作に連動して、Ｐ，Ｒ，Ｎ，Ｄ，２，１等の各表示を指し示し、このシフトレバー軸部２８がどのシフトレンジセレクト位置にあるのかを表示するように構成されている。
【００２２】
さらに本実施の形態のシフトレバー用ハウジングでは、アッパハウジング２０の内側に配置されるロアハウジング２２が、図１にその断面を示すように摺動動作を妨げないような構成にされている。すなわち、長開口部４０の口縁部４２直下に対応した位置に沿って、矩形筒状部分として形成されたガイドリブ５４を臨ませる。このガイドリブ５４の自由端部は丸く形成され、スライドカバー２４の図１で下面に、滑らかに摺接し、スライドカバー２４を下側から支持する。なお、スライドカバー２４は、そのガイド部３４のスライド板面３６がアッパハウジング２０の内摺接面４４に当って上側から支持するので、結局、スライドカバー２４は、図１に示すようにアッパハウジング２０とロアハウジング２２との間に挟みこまれるように支持されることになる。
【００２３】
ロアハウジング２２における図１に向って左側のガイドリブ５４の基端部から側壁部にかけて、斜下方に下る斜底面５６が設けられるとともに、図１に向って右側のガイドリブ５４の基端部からランプハウジング部６０の一方の側部にかけて、斜下方に下る斜底面５８が設けられている。これらの斜底面５６、５８の最下位置部分には、それぞれ複数の透孔である排出口６２が穿設されている。なお、ランプハウジング部６０と、排出口６２との間に水等がランプハウジング部６０側に流れるのを防止するための壁を設けても良い。
【００２４】
この排出口６２は、その下部に電気回路部品等の水濡を嫌う部品が位置しない場所に配置され、この排出口６２を通った水等が支障なく外部に排出されるように構成されている。なお、凹部状に形成されたランプハウジング部６０の他方の側部は、図１に向って右側の側壁部に接続一体化されている。
【００２５】
次に、上述のように構成されたシフトレバー用ハウジングの作用について説明する。まず、このシフトレバー用ハウジングを用いたシフトレバー装置のシフトレバーを操作すると、そのシフトレバー軸部２８の動作により、通し孔２６部分が押されて、スライドカバー２４のガイド部３４のスライド板面３６がアッパハウジング２０の内摺接面４４に摺接支持されるとともに、スライドカバー２４の図で下面部がロアハウジング２２のガイドリブ５４上に摺接支持され、これらに挟まれた状態で摺動し、所要のシフト位置で停止する。
【００２６】
次に、アッパハウジング２０の上方からジュース等の液体をスライドカバー２４上へ零した場合には、この液体は、スライドカバー２４とアッパハウジング２０の口縁部４２との間からロアハウジング２２の斜底面５６、５８上へ流れ落ち、この斜面上を伝わって下方の排出口６２へ流れ、この排出口６２からロアハウジング２２の下方の液体を排出可能な部位等を伝わり、外部へ排出される。
【００２７】
このとき、液体は重力に従って流れるから、アッパハウジング２０の内摺接面４４と、スライド板面３６との間に入り込むことはない。さらに、スライドカバー２４の図で下面部と、ロアハウジング２２のガイドリブ５４との間に入り込むこともない。なお、口縁部４２とスライドカバー２４との間のように外部から見えるところの隙間は液体を通すのに支障がないよう例えば０．５ｍｍと狭くし、案内突条４８と指針部３０との間のように外部からあまり見えないところの隙間は例えば１〜２ｍｍ以上と広く開けることが望ましい。
【００２８】
上述のように、本実施の形態のシフトレバー用ハウジングによれば、スライドカバー上にジュース等の液体を零した場合でも、この液体が支障なく外部に流れ出るため、スライドカバー上を軽く拭き取る程度で良く、面倒な掃除をしなくても良くなる。
【００２９】
【発明の効果】
以上説明したように本発明に係るシフトレバー用ハウジングは、シフトレバー用ハウジングのスライドカバー上に飲料水等の液体が零れ落ちても内部機器に支障無く液体を外部に排出するように対処可能とするという優れた効果を有する。
【図面の簡単な説明】
【図１】本発明の実施の形態に係るシフトレバー用ハウジングの構成を示す図３のＩ−Ｉ線による断面図である。
【図２】本発明の実施の形態に係るシフトレバー用ハウジングに用いられる、スライドカバーの要部の構成を示す斜視図である。
【図３】本発明の実施の形態係るシフトレバー用ハウジングの概略構成を示す概略側面図である。
【図４】従来の車両のインストールメントパネル及びシフトレバー装置部分を取り出して示す要部斜視図である。
【符号の説明】
２０    アッパハウジング  （上側案内部）
２２    ロアハウジング    （下側案内部）
２４    スライドカバー
２６    通し孔
２８    シフトレバー軸部
３４    ガイド部
４０    長開口部    （開口部）
４２    口縁部
４４    内摺接面
５４    ガイドリブ
５６    斜底面
５８    斜底面
６２    排出口
【図１】
0003672989.tif 000002
【図２】
0003672989.tif 000003
【図３】
0003672989.tif 000004
【図４】
0003672989.tif 000005